(57)【要約】  【課題】  配線の作業性が向上し、作業者に負担を強いるということが解消できるばかりか、キースイッチ内への水や異物等の侵入を防ぐ。  【解決手段】  スイッチケース１内にスイッチ側コネクタ３０を設けて、このスイッチ側コネクタ３０にキースイッチＡの電源回路開閉用スイッチ１３、モニタスイッチ１４及び端子台１５のそれぞれをリード線３２〜３９を介して接続し、スイッチ側コネクタ３０に、シースケーブルＫに接続される装置側コネクタ３１を挿抜可能に結合し、スイッチケース１に装置側コネクタ３１の配線作業用の窓部２を設け、この窓部２をシールパッキン５を介して開閉蓋体４で閉塞するようにした。【選択図】  図４
2006228621.tif 000002
【特許請求の範囲】
【請求項１】
少なくとも、操作キーの進入・後退に応じて作動する主スイッチ操作部により開閉作動される主スイッチと、前記主スイッチに直列に接続された補助スイッチと、前記補助スイッチを作動にする電磁ソレノイドに給電するための端子台とをスイッチケース内に配置し、前記主スイッチ、前記補助スイッチ及び前記端子台のそれぞれにケーブルのケーブル側リード線を接続し配線するようにしたキースイッチの配線構造であって、
前記スイッチケース内にスイッチ側コネクタを設けて、このスイッチ側コネクタに前記主スイッチ、前記補助スイッチ及び前記端子台のそれぞれを接続し、前記スイッチ側コネクタに、前記ケーブル側リード線に接続される装置側コネクタを挿抜可能に結合し、前記スイッチケースに前記装置側コネクタの配線作業用の窓部を設け、この窓部をシール部材を介して開閉蓋で閉塞するようにしたことを特徴とするキースイッチの配線構造。
【請求項２】
前記スイッチケースは、その前面が解放されたボックス形状のケース本体と、このケース本体の前面開口部を覆う蓋体とを有していて、前記ケース本体の周壁部にコンジットを設けており、前記蓋体に前記窓部を設け、前記コンジットに前記ケーブルの端末部を挿入して前記ケーブル側リード線を前記装置側コネクタに接続するようにしたことを特徴とする請求項１に記載のキースイッチの配線構造。
【請求項３】
少なくとも、操作キーの進入・後退に応じて作動する主スイッチ操作部により開閉作動される主スイッチと、前記主スイッチに直列に接続された補助スイッチと、前記補助スイッチを作動にする電磁ソレノイドに給電するための端子台とをスイッチケース内に配置し、前記主スイッチ、前記補助スイッチ及び前記端子台のそれぞれにケーブルのケーブル側リード線を接続し配線するようにしたキースイッチの配線構造であって、
前記スイッチケースに、開閉可能なコネクタボックスを併設し、前記スイッチケースにスイッチ側コネクタを設けて、このスイッチ側コネクタに前記主スイッチ、前記補助スイッチ及び前記端子台のそれぞれを接続し、前記スイッチ側コネクタの相手コネクタ接続側を前記コネクタボックス内に挿入して、このコネクタボックス内で、前記相手コネクタ接続側に、前記ケーブル側リード線に接続される装置側コネクタを挿抜可能に結合するようにしたことを特徴とするキースイッチの配線構造。
【請求項４】
前記コネクタボックスは、開閉蓋により開閉される開口部とコンジットを有しており、
前記コンジットに前記ケーブルの端末部を挿入して前記ケーブル側リード線を前記装置側コネクタに接続するようにしたことを特徴とする請求項３に記載のキースイッチの配線構造。
【請求項５】
前記コネクタボックスの前記スイッチケースとの結合部及び前記コンジットの前記コネクタボックスとの結合部をシール部材で封止すると共に、前記開閉蓋と前記開口部との間にシール部材を介在するようにしたことを特徴とする請求項４に記載のキースイッチの配線構造。
【請求項６】
少なくとも、操作キーの進入・後退に応じて作動する主スイッチ操作部により開閉作動される主スイッチと、前記主スイッチに直列に接続された補助スイッチと、前記補助スイッチを作動にする電磁ソレノイドに給電するための端子台とをスイッチケース内に配置し、前記主スイッチ、前記補助スイッチ及び前記端子台のそれぞれにケーブルのケーブル側リード線を接続し配線するようにしたキースイッチの配線構造であって、
前記ケーブルを中間ケーブルと装置側ケーブルとで構成し、前記スイッチケースとは別に、開閉可能なコネクタボックスを用意し、このコネクタボックスに一方及び他方のコンジットを設け、前記コネクタボックス内にスイッチ側コネクタと、このスイッチ側コネクタに挿抜可能に結合される装置側コネクタを収容し、
前記主スイッチ、前記補助スイッチ及び前記端子台のそれぞれにリード線で接続した前記中間ケーブルの端末部を前記一方のコンジットから前記コネクタボックス内に挿入して、前記リード線の端部を前記スイッチ側コネクタに接続し、
前記装置側ケーブルの端末部を前記他方のコンジットから前記コネクタボックス内に挿入して、この装置側ケーブルのリード線を前記装置側コネクタに接続するようにしたことを特徴とするキースイッチの配線構造。
【請求項７】
前記コネクタボックスは、開閉蓋により開閉される開口部を有しており、前記コンジットの前記コネクタボックスとの結合部をシール部材で封止すると共に、前記開閉蓋と前記開口部との間にシール部材を介在するようにしたことを特徴とする請求項６に記載のキースイッチの配線構造。
【発明の詳細な説明】
【技術分野】
【０００１】
本発明は、例えば、産業機械が設置される部屋の出入口などに取り付けられ、その出入口の扉が開かれたときには、産業機械等への電源供給を停止する扉ロックスイッチ等に使用される安全スイッチとしてのキースイッチの配線構造に関する。
【背景技術】
【０００２】
産業機械が設置された部屋や工場などの危険ゾーンでは、作業者が機械に巻き込まれて負傷するといったトラブルの発生を防止することを目的として、部屋や危険ゾーンの出入口の扉が完全に閉まっていないときには、機械の駆動をロックするシステムを設けることが要求される。
【０００３】
そのようなロックシステムとして安全スイッチであるキースイッチが提案されている。このキースイッチは、一般に、自動化された工作機械を設置した作業エリアの出入り口に設けたドアの開閉を検知して、工作機械の電源を入り切りし、また、工作機械が稼動しているときはドアを開けないようにロックするものである。
【０００４】
ドアを閉めるとドア側に備えた操作キーが、出入り口側に備えたキースイッチに挿入され、挿入された操作キーによってカム体が回転操作され、キースイッチに内蔵した電源回路開閉スイッチがスイッチオン状態に切り換えられて電源回路などが接続されると共に、カム体はロック手段により逆回転出来ないようにロックされ、操作キーが引き抜けない、すなわちドアを開けない状態にする。
【０００５】
次に、電磁ソレノイドでロックが解除されると、カム体が回転可能になってドアを開ける状態になると共に、ロック検知用のモニタスイッチがオフとなり電源回路が断たれる。
【０００６】
そして、ドアを開けると操作キーの抜き出しによってカム体が回転操作され、ロック検知用のスイッチと直列に接続された電源回路開閉スイッチがスイッチオフ状態に切り換えられ、二重に電源回路などが断たれるように構成してある。
【０００７】
すなわち、電源回路開閉スイッチとモニタスイッチの両方がオン状態でないと電源回路がオンしないような回路が構成できる構造になっている。
【０００８】
このようなドアロックスイッチにおけるキースイッチには、上記した電源回路開閉スイッチとモニタスイッチの他に、電磁ソレノイドに給電するための端子台が配置してある。
【０００９】
そして、キースイッチのスイッチケースは、その前面が解放されたボックス形状のケース本体と、スイッチカバーと、ケース本体の前面開口部を覆う蓋体と、ヘッドカバーとで構成してあり、ケース本体の周壁部にはコンジットが設けてある。
【００１０】
そして、キースイッチが、工作機械を外囲した保護フェンスの扉における安全スイッチとして使用される場合、扉には操作キーが取付けられ、保護フェンスの支柱にはキースイッチが取付けられるのであるが、キースイッチはユーザー側において配線される。
【００１１】
この配線は、蓋体取付ねじを外すことで、ケース本体から蓋体を外して前面開口部を開け、コンジットに、工作機械に付設される配電盤からのシースケーブルの端末部を挿入して、このシースケーブルの複数本のリード線（ばら線）を、電源回路開閉スイッチとロック検知用のスイッチと端子台とのそれぞれの接続端子部に接続することにより行なわれていた（特許文献１参照）。
【特許文献１】特開２０００−２０７９７９号公報
【発明の開示】
【発明が解決しようとする課題】
【００１２】
上記したキースイッチにあっては、その配線がユーザー側で行なわれており、コンジットにシースケーブルの端末部を挿入して、このシースケーブルのリード線（ばら線）を、キースイッチのケース本体内という狭い空間に配置された電源回路開閉スイッチ、モニタスイッチ及び端子台のそれぞれの接続端子部に接続することは、配線の作業性が悪く、作業者に負担を強いることになるし、また、この配線を行なうにあたって、ケース本体から蓋体を外して前面開口部を開ける必要があるために、キースイッチ内への水や異物等の侵入が生じることがあった。
【００１３】
本発明は、上記の問題点に着目してなされたものであって、その目的とするところは、配線の作業性が向上し、作業者に負担を強いるということが解消できるばかりか、キースイッチ内への水や異物等の侵入を防ぐことができるキースイッチの配線構造を提供することである。
【課題を解決するための手段】
【００１４】
上記の目的を達成するために、本発明に係るキースイッチの配線構造は、少なくとも、操作キーの進入・後退に応じて作動する主スイッチ操作部により開閉作動される主スイッチと、主スイッチに直列に接続された補助スイッチと、補助スイッチを作動にする電磁ソレノイドに給電するための端子台とをスイッチケース内に配置し、主スイッチ、補助スイッチ及び端子台のそれぞれにケーブルのケーブル側リード線を接続し配線するようにしたキースイッチの配線構造であって、スイッチケース内にスイッチ側コネクタを設けて、このスイッチ側コネクタに主スイッチ、補助スイッチ及び端子台のそれぞれを接続し、スイッチ側コネクタに、ケーブル側リード線に接続される装置側コネクタを挿抜可能に結合し、スイッチケースに装置側コネクタの配線作業用の窓部を設け、この窓部をシール部材を介して開閉蓋で閉塞するようにしたことを特徴とする。
【００１５】
かかる構成により、キースイッチの主スイッチ、補助スイッチ及び端子台のそれぞれにケーブルのケーブル側リード線を接続する配線は、開閉蓋体を外して窓部を開け、装置側コネクタをスイッチ側コネクタから切り離してキースイッチ外に取り出して、例えば、工作機械に付設される配電盤からのケーブルの端末部をキースイッチに挿入して、このケーブルのリード線（ばら線）を装置側コネクタに接続し、この装置側コネクタをスイッチ側コネクタに結合させた後に、開閉蓋体により窓部を閉塞することで行なうことができる。
【００１６】
したがって、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【００１７】
また、本発明に係るキースイッチの配線構造は、上記した本発明に係るキースイッチの配線構造において、スイッチケースは、その前面が解放されたボックス形状のケース本体と、このケース本体の前面開口部を覆う蓋体とを有していて、ケース本体の周壁部にコンジットを設けており、蓋体に窓部を設け、コンジットにケーブルの端末部を挿入してケーブル側リード線を装置側コネクタに接続するようにしたことを特徴とする。
【００１８】
かかる構成により、開閉蓋体を外して窓部を開け、装置側コネクタをスイッチ側コネクタから切り離してキースイッチ外に取り出して、コンジットに、例えば、工作機械に付設される配電盤からのケーブルの端末部を挿入して、このケーブル側リード線（ばら線）を装置側コネクタに接続することができる。
【００１９】
したがって、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【００２０】
また、上記の目的を達成するために、本発明に係るキースイッチの配線構造は、少なくとも、操作キーの進入・後退に応じて作動する主スイッチ操作部により開閉作動される主スイッチと、主スイッチに直列に接続された補助スイッチと、補助スイッチを作動にする電磁ソレノイドに給電するための端子台とをスイッチケース内に配置し、主スイッチ、補助スイッチ及び端子台のそれぞれにケーブルのケーブル側リード線を接続し配線するようにしたキースイッチの配線構造であって、スイッチケースに、開閉可能なコネクタボックスを併設し、スイッチケースにスイッチ側コネクタを設けて、このスイッチ側コネクタに主スイッチ、補助スイッチ及び端子台のそれぞれを接続し、スイッチ側コネクタの相手コネクタ接続側をコネクタボックス内に挿入して、このコネクタボックス内で、相手コネクタ接続側に、ケーブル側リード線に接続される装置側コネクタを挿抜可能に結合するようにしたことを特徴とする。
【００２１】
かかる構成により、キースイッチの主スイッチ、補助スイッチ及び端子台のそれぞれにケーブルのケーブル側リード線を接続する配線は、コネクタボックスの開閉蓋体を開けて開口部を解放し、装置側コネクタをスイッチ側コネクタから切り離してコネクタボックス外に取り出す。そして、コネクタボックスに、例えば、工作機械に付設される配電盤からのケーブルの端末部を挿入して、このケーブル側リード線（ばら線）を装置側コネクタに接続することで行なうことができる。
【００２２】
したがって、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【００２３】
また、本発明に係るキースイッチの配線構造は、上記した本発明に係るキースイッチの配線構造において、コネクタボックスは、開閉蓋により開閉される開口部とコンジットを有しており、コンジットにケーブルの端末部を挿入してケーブル側リード線を装置側コネクタに接続するようにしたことを特徴とする。
【００２４】
かかる構成により、コネクタボックスの開閉蓋体を開けて開口部を解放し、装置側コネクタをスイッチ側コネクタから切り離してコネクタボックス外に取り出して、コンジットに、例えば、工作機械に付設される配電盤からのケーブルの端末部を挿入して、このケーブル側リード線（ばら線）を装置側コネクタに接続することで行なうことができる。
【００２５】
したがって、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【００２６】
また、本発明に係るキースイッチの配線構造は、上記した本発明に係るキースイッチの配線構造において、コネクタボックスのスイッチケースとの結合部及びコンジットのコネクタボックスとの結合部をシール部材で封止すると共に、開閉蓋と開口部との間にシール部材を介在するようにしたことを特徴とする。
【００２７】
かかる構成により、キースイッチ内及びコネクタボックス内への水や異物等の侵入を確実に防ぐことができる。
【００２８】
また、上記の目的を達成するために、本発明に係るキースイッチの配線構造は、少なくとも、操作キーの進入・後退に応じて作動する主スイッチ操作部により開閉作動される主スイッチと、主スイッチに直列に接続された補助スイッチと、補助スイッチを作動にする電磁ソレノイドに給電するための端子台とをスイッチケース内に配置し、主スイッチ、補助スイッチ及び端子台のそれぞれにケーブルのケーブル側リード線を接続し配線するようにしたキースイッチの配線構造であって、ケーブルを中間ケーブルと装置側ケーブルとで構成し、スイッチケースとは別に、開閉可能なコネクタボックスを用意し、このコネクタボックスに一方及び他方のコンジットを設け、コネクタボックス内にスイッチ側コネクタと、このスイッチ側コネクタに挿抜可能に結合される装置側コネクタを収容し、主スイッチ、補助スイッチ及び端子台のそれぞれにリード線で接続した中間ケーブルの端末部を一方のコンジットからコネクタボックス内に挿入して、リード線の端部をスイッチ側コネクタに接続し、装置側ケーブルの端末部を他方のコンジットからコネクタボックス内に挿入して、この装置側ケーブルのリード線を装置側コネクタに接続するようにしたことを特徴とする。
【００２９】
かかる構成により、キースイッチの主スイッチ、補助スイッチ及び端子台のそれぞれにケーブルのケーブル側リード線を接続する配線は、コネクタボックスを開けて、装置側コネクタをスイッチ側コネクタから切り離してコネクタボックス外に取り出して、コンジットに、例えば、工作機械に付設される配電盤からの装置側ケーブルの端末部を挿入して、この装置側ケーブルのリード線（ばら線）を装置側コネクタに接続することで行なうことができる。
【００３０】
したがって、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【００３１】
また、本発明に係るキースイッチの配線構造は、上記した本発明に係るキースイッチの配線構造において、コネクタボックスは、開閉蓋により開閉される開口部を有しており、コンジットのコネクタボックスとの結合部をシール部材で封止すると共に、開閉蓋と開口部との間にシール部材を介在するようにしたことを特徴とする。
【００３２】
かかる構成により、コネクタボックス内への水や異物等の侵入を確実に防ぐことができる。
【発明の効果】
【００３３】
本発明に係るキースイッチによれば、キースイッチのケース本体内という狭い空間で、この空間に配置された主スイッチとしての電源回路開閉スイッチ、補助スイッチとしてのモニタスイッチ及び端子台のそれぞれの接続端子部にケーブル側リード線（ばら線）を接続する必要がなくなり、配線の作業性が向上し、作業者に負担を強いるということが解消できる。また、上記の配線を行なうにあたって、ケース本体から蓋体を外して前面開口部を開ける必要が無いために、キースイッチ内への水や異物等の侵入を防ぐことができる。
【発明を実施するための最良の形態】
【００３４】
以下、図面によって本発明の実施の形態について詳細に説明する。
【００３５】
（実施の形態１）
本発明の実施の形態１を、図１乃至図８に基づいて説明する。
【００３６】
図１は本発明に係る配線構造（実施の形態１）を有するキースイッチの正面図、図２は同キースイッチにおいて、蓋体を外した状態の正面図、図３は同キースイッチにおいて、蓋体、スイッチカバー及びヘッドカバーを外した状態の概略的な正面図、図４は本発明に係る配線構造（実施の形態１）において、開閉蓋体を外した状態の正面図である。
【００３７】
キースイッチＡはメカニカルロックタイプのキースイッチであり、このキースイッチＡはスイッチケース１を備えており、このスイッチケース１は、図１及び図２に示すように、その前面が解放されたボックス形状のケース本体１Ａと、スイッチカバー１Ｂと、ケース本体１Ａの前面開口部１Ｃを覆う蓋体１Ｄと、ヘッドカバー１Ｅとで構成してある。
【００３８】
図４に示すように、蓋体１Ｄには、その下部に左右方向に長い長方形状の窓部２が形成してあり、また、蓋体１Ｄには、窓部２を挟んだ両側にねじ孔３が設けてある。この窓部２は、図１に示すように、開閉蓋体４により開閉されるものであり、この開閉蓋体４は、長方形状の蓋本体４Ａの両側に、取付孔（図示せず）を有する取付部４Ｂを設けて構成してある。そして、図５に示すように、窓部２の周囲にシール部材であるシールパッキン５を沿わせて開閉蓋体４を重ね、この開閉蓋体４の取付部４Ｂの取付孔に挿入した取付ねじ６をねじ孔３に螺合することで、開閉蓋体４により窓部２が閉塞してある。
【００３９】
ケース本体１Ａの上部の片側（右側）には主スイッチ操作部装着部１０が形成してあり、また、ケース本体１Ａの周壁部には、図１において下部にはコンジット１１が設けてある。
【００４０】
また、ケース本体１Ａには、主スイッチである電源回路等の回路開閉用スイッチ１３と、この回路開閉用スイッチ１３に直列に接続された補助スイッチとしてのモニタスイッチ１４、端子台１５と、コネクタ装置Ｅと、操作キーＢの進入・後退に応じて作動して回路開閉用スイッチ１３を開閉作動する主スイッチ操作部Ｆと、回路開閉用スイッチ１３の閉動作状態の保持及びこの保持の解除を行うロック・アンロック作動手段Ｇと、外部から与えられるトリガによって動作して前記ロック・アンロック作動手段Ｇによる回路開閉用スイッチ１３の閉動作状態を保持してモニタスイッチ１４を閉作動状態に保持し、且つロック・アンロック作動手段Ｇによる保持の解除を可能にしてモニタスイッチ１４を開作動状態にする電磁ソレノイドＨとが配設してある。
【００４１】
主スイッチ操作部装着部１０には主スイッチ操作部Ｆが装着してあり、主スイッチ操作部装着部２にヘッドカバー１Ｅを取付けることで、主スイッチ操作部Ｆがヘッドカバー１Ｅで覆われようになる。ヘッドカバー１Ｅは、図１及び図２に示すように、その前面部（及び頂面部）には操作キーＢを挿入するキー挿入口１５が形成してある。
【００４２】
回路開閉用スイッチ１３は、図３に示すように、スイッチ操作体１７と、このスイッチ操作体１７に装備された第１、第２、第３の可動接点１８ａ、１８ｂ、１８ｃと、第１、第２、第３の固定接点１９ａ、１９ｂ、１９ｃと、可動接点保持ばね（図示せず）と、ばね（図示せず）とを有しており、第１の可動接点１８ａと第１の固定接点１９ａとでＮＣ接点を、第２の可動接点１８ｂと第２の固定接点１９ｂとでＮＣ接点をそれぞれ構成しており、また、第３の可動接点１８ｃと第３の固定接点１９ｃとでＮＯ接点を構成している。そして、図２に示すように、第１、第２、第３の固定接点１９ａ、１９ｂ、１９ｃには端子接続ねじ２１が取付けてある。
【００４３】
モニタスイッチ１４は、スイッチ操作体２２と、このスイッチ操作体２２に装備された第１、第２、第３の可動接点２３ａ、２３ｂ、２３ｃと、第１、第２、第３の固定接点２４ａ、２４ｂ、２４ｃと、可動接点保持ばね（図示せず）と、復帰ばね（図示せず）とを有しており、第１の可動接点２３ａと第１の固定接点２４ａとでＮＣ接点を、第２の可動接点２３ｂと第２の固定接点２４ｂとでＮＣ接点をそれぞれ構成しており、また、第３の可動接点２３ｃと第３の固定接点２４ｃとでＮＯ接点を構成している。そして、図２に示すように、第１、第２、第３の固定接点２４ａ、２４ｂ、２４ｃには端子接続ねじ２５が取付けてある。
【００４４】
端子台１５は接続端子部２６、２７を有しており、これらの接続端子部２６、２７には端子接続ねじ２８が取付けてある。そして、接続端子部２６、２７は電磁ソレノイドＥのコイル２９Ａのコイル線（図示せず）の端末部が接続してある。
【００４５】
また、コネクタ装置Ｅは、ケース本体１Ａの、上記した蓋体１Ｄの窓部２に対向する位置に配置してある。そして、このコネクタ装置Ｅは、スイッチ側コネクタ３０と、このスイッチ側コネクタ３０に挿抜可能に結合される装置側コネクタ３１とで構成してある。
【００４６】
スイッチ側コネクタ３０は雌型コネクタであって、コネクタハウジング３０Ａ内に８個の第１〜第８の雌接続端子（図示せず）を有している。そして、図２に示すように、第１の接続端子にはリード線３２が、第２の接続端子にはリード線３３がそれぞれ接続してあり、また、第３の接続端子にはリード線３４が、第４の接続端子にはリード線３５がそれぞれ接続してあり、また、第５の接続端子にはリード線３６が、第６の接続端子にはリード線３７がそれぞれ接続してあり、第７の接続端子にはリード線３８が、第８の接続端子にはリード線３９がそれぞれ接続してある。
【００４７】
そして、リード線３２の端末部は、回路開閉用スイッチ１３の第１の固定接点１９ａに端子接続ねじ２１で接続してあり、リード線３３の端末部は、回路開閉用スイッチ１３の第２の固定接点１９ｂに端子接続ねじ２１で接続してあり、リード線３４の端末部は、モニタスイッチ１４の第１の固定接点２４ａに端子接続ねじ２５で接続してあり、リード線３５の端末部は、モニタスイッチ１４の第２の固定接点２４ｂに端子接続ねじ２５で接続してあり、リード線３６、３７の端末部は、モニタスイッチ１４の第３の固定接点２４ｃに端子接続ねじ２５で接続してあり、リード線３８の端末部は、端子台１５の接続端子部２６に端子接続ねじ２８で接続してあり、さらに、リード線３９の端末部は、端子台１５の接続端子部２７に端子接続ねじ２８で接続してある。
【００４８】
装置側コネクタ３１は雄型端子であって、コネクタハウジング３１Ａ内に８個の第１〜第８の雄接続端子（図示せず）を有しており、この装置側コネクタ３１は、第１〜第８の雄接続端子（図示せず）を雌接続端子に離脱可能に接続した状態で、ケース本体１Ａに配置してある。
【００４９】
キースイッチＡが、工作機械を外囲した保護フェンスの扉における安全スイッチとして使用される場合、扉には操作キーＢが取付けられ、保護フェンスの支柱にはキースイッチＡが取付けられるのであるが、キースイッチＡはユーザー側において配線される。
【００５０】
この配線は、図４に示す取付ねじ６を外すことで、キースイッチＡの蓋体１Ｄから開閉蓋体４を外して窓部２を開け（図４参照）、装置側コネクタ３１をスイッチ側コネクタ３０から切り離してキースイッチＡ外に取り出す。そして、ケース本体１Ａに設けられているコンジット１１に、工作機械に付設される配電盤（いずれも図示しない）からのシースケーブルＫの端末部を挿入して、このシースケーブルＫの８本のケーブル側リード線（ばら線）（図示せず）を装置側コネクタ３１の雄接続端子に接続する。
【００５１】
次に、装置側コネクタ３１をスイッチ側コネクタ３０に結合させて、この装置側コネクタ３１をキースイッチＡ内に収容し、窓部２の周囲にシールパッキン５を沿わせて開閉蓋体４を重ね、この開閉蓋体４の取付部４Ｂの取付孔に挿入した取付ねじ６をねじ孔３に螺合することで、開閉蓋体４により窓部２を閉塞する。
【００５２】
主スイッチ操作部Ｆは、図６に示すように、操作キーＢの挿抜に応じて支軸（カムシャフト４１）回りに回動するカム体４０と、このカム体４０がカムシャフト４１により回転可能に取付けられるベース部材４２と、カム体４０を操作キー引抜き正常位置（初期回動位置）に保持する一対のヘッドロック部材４３と、これらのヘッドロック部材４３をカム体４０にそれぞれ押圧するように付勢する一対のばね部材４５と、ヘッドプランジャ４６とで構成してある。
【００５３】
カム体４０のカム部４７は、図８に示すように、カム体４０の周部の下半分に形成されたカム溝部４８を有しており、このカム溝部４８の底面部が、側面ほぼＵ字形状のカム面４９にしてある。そして、カム溝部４８の両側壁部４８ａ、４８ｂにはカム面４９に倣うプランジャガイド孔部５０が形成してある。
【００５４】
ヘッドプランジャ４６は、図８に示すように、その上端部に摺動ピン５１を備えている。また、ヘッドプランジャ４６の上端部にはカム摺接部５２が形成してあり、ヘッドプランジャ４６の下部は、このヘッドプランジャ４６の大径軸部４６Ａより小径な小径軸部４６Ｂにしてあり、この小径軸部４６Ｂの端部には係合部５３が設けてある。そして、大径軸部４６Ａと小径軸部４６Ｂとの段部４６Ｃは、後述するロック部材が係合する部位である。
【００５５】
そして、ヘッドプランジャ４６は、図８に示すように、その上端部の摺動ピン５１をカム体４０のプランジャガイド孔部５０に挿入してカム体４０に連結してあり、ヘッドプランジャ４６のカム摺接部５２がカム体４０のカム面４９に摺接するようにしてある。
【００５６】
そして、主スイッチ操作部Ｆは主スイッチ操作部装着部１０に装着してあるが、この場合、左右のヘッドロック部材４３の外端部にばね部材４５を配置し、これらのばね部材４５を圧縮した状態で、主スイッチ操作部装着部１０に装着してあり、ヘッドロック部材４３はばね部材４５の反発力によりベース部材４２の中心側に押されている。そして、図８に示すように、ヘッドプランジャ４６の下端部の係合部５３は、回路開閉用スイッチ１３のスイッチ操作体１７の上端部の係合溝部１７Ａに係合している。
【００５７】
また、ロック・アンロック作動手段Ｇは、図３に示すように回路開閉用スイッチ１３の閉動作を保持する移動方向であるロック方向及びこの保持を解除するアンロック方向に、揺動支点１Ｇを中心にして揺動可能であり且つスライド孔５４を有するスライド部材５５と、電磁ソレノイドＨの可動プランジャ４２をモニタスイッチ１３のスイッチ操作体１７に連結し且つ突起部（図示せず）有する連結部材５７と、スライド部材５５に連動して回路開閉用スイッチ１３の閉動作の保持及びこの保持の解除を行使するロック部材５８と、モニタスイッチ１４の復帰ばねとで構成してあり、連結部材５７をスライド部材５５に重ねることで、突起部がスライド孔５４に摺動可能に挿入してある。
【００５８】
そして、図２に示すように、ケース本体１Ａの前面開口部１Ｃにはスイッチカバー１Ｂが装着してあり、このスイッチカバー１Ｂがロック部材５８を抑えていて、ロック部材５８の飛び出しを防止している。また、ケース本体１Ａには、スイッチカバー１Ｂに重ねて蓋体１Ｄが装着してある。
【００５９】
したがって、主スイッチ操作部Ｆのキー挿入口１５に操作キーＢが進入することで、図７に示すように、ヘッドロック部材４３をばね部材４５のばね力に抗して移動させてカム体４０のロックを外し、このカム体４０を回転させる。このカム体４０の回転に連動してヘッドプランジャ４６を介して回路開閉用スイッチ１３が閉作動した状態（ＮＣ接点が閉、ＮＯ接点が開の状態）で、且つ電磁ソレノイドＨが非励磁である場合には、モニタスイッチ１４が内蔵する復帰ばねのばね力より、このモニタスイッチ１４のスイッチ操作体２２が押し上げられてモニタスイッチ１４が閉作動（ＮＣ接点が閉、ＮＯ接点が開の状態）し、この状態では、連結部材５５が、図３において上方向に移動して突起部がスライド部５５を押し上げる。
【００６０】
このために、スライド部５５は、本体ケース１Ａの揺動支点１Ｇを中心にして、図３において時計回り方向に揺動してロック部材５８をロック方向に押し込み、このロック部材５８のプランジャ小径軸挿入部５８Ａ内にヘッドプランジャ４６の小径軸部４６Ｂが挿入し、ロック部材５８が段部４６Ｃに衝合してロックを行う。
【００６１】
この状態から、図３に示すように、電磁ソレノイドＨを励磁することにより、復帰ばねのばね力に抗して連結部材５７を介してスイッチ操作体２２を押し下げて、モニタスイッチ１４を開作動（ＮＣ接点が開、ＮＯ接点が閉の状態）し、この状態では、連結部材５７を図３において下方向に移動させて突起部でスライド部５５を押し下げる。このために、スライド部５５は、本体ケース１Ａの揺動支点１Ｇを中心にして、図３において反時計回り方向に揺動してロック部材５８をアンロック方向に移動させ、このロック部材５８のプランジャ小径軸挿入部５８Ａをヘッドプランジャ４６の小径軸部４６Ｂより外し、ロック部材５８の段部４６Ｃへの衝合を解除してアンロックを行う。そして、主スイッチ操作部Ｆから操作キーＢを抜き出すことでカム体４０が逆回転し、ヘッドプランジャ４６を引き上げて回路開閉用スイッチ１３を開作動（ＮＣ接点が開、ＮＯ接点が閉の状態）する。
【００６２】
以上説明したように、本発明の実施の形態１にあっては、キースイッチＡの回路開閉用スイッチ１３、モニタスイッチ１４及び端子台１５のそれぞれの配線は、スイッチケース１Ａの蓋体１Ｄに設けた開閉蓋体４を外して窓部２を開け、装置側コネクタ３１をスイッチ側コネクタ３０から切り離してキースイッチＡ外に取り出して、工作機械に付設される配電盤からのシースケーブルＫの端末部をコンジット１１に挿入して、このシースケーブルＫのケーブル側リード線（ばら線）を装置側コネクタ３１に接続し、装置側コネクタ３１をスイッチ側コネクタ３０に結合させた後に、開閉蓋体４により窓部２を閉塞することで行なうことができる。
【００６３】
したがって、キースイッチＡのケース本体１Ａ内という狭い空間で、この空間に配置された電源回路開閉スイッチ１３、モニタスイッチ１４及び端子台１５のそれぞれの接続端子部にシースケーブルＫのケーブル側リード線を接続する必要がなくなり、配線の作業性が向上し、作業者に負担を強いるということが解消できる。また、上記の配線を行なうにあたって、ケース本体１Ａから蓋体１Ｄを外して前面開口部１Ｃを開ける必要が無いために、キースイッチＡ内への水や異物等の侵入を防ぐことができる。
【００６４】
なお、上記した本発明の実施の形態１では、キースイッチＡにメカニカルロックタイプのものを使用したが、本発明のキースイッチにおけるコネクタ装置は、ソレノイドロックタイプのキースイッチ、トラップドキータイプのキースイッチの場合においても適用されるものである。
【００６５】
（実施の形態２）
本発明の実施の形態２を、図９乃至図１３に基づいて説明する。
【００６６】
本発明の実施の形態２は、キースイッチＡ−１のケース本体１Ａにコネクタボックス６０を併設し、ケース本体Ａ−１にスイッチ側コネクタ３０を設けて、このスイッチ側コネクタ３０に電源回路開閉スイッチ１３、モニタスイッチ１４及び端子台１５のそれぞれをリード線３２〜３９を介して接続し、スイッチ側コネクタ３０の相手コネクタ接続側をコネクタボックス６０内に挿入して、このコネクタボックス６０内で、相手コネクタ接続側に、ケーブル側リード線１００に接続される装置側コネクタ３１を挿抜可能に結合するようにしたものである。
【００６７】
この場合、図１１に示すように、ケース本体１Ａの周壁部の下部には取付座部７４が形成してあり、この取付座部７４にはコネクタ装着孔部７５とねじ孔部７６とが設けてあり、このコネクタ装着孔部７５にスイッチ側コネクタ３０が装着してあって、このスイッチ側コネクタ３０が外部に突出している。なお、キースイッチＡ−１の他の構成は本発明の実施の形態１におけるキースイッチＡと同構成である。したがって、同じ部品及び部位には同じ符号を付して説明を省略する。
【００６８】
コネクタボックス６０はボックス本体６０Ａを有しており、このボックス本体６０Ａは、
その前面部に開口部６１を有しており、また、ボックス本体６０Ａは、図１３において上部に挿入孔部６２を、下部にコンジット装着孔部６３をそれぞれ有している。
【００６９】
そして、図１０に示すように、ボックス本体６０Ａの前面部には、その一側部にヒンジ６５を介して開閉蓋体６４の一側部が取り付けてあり、開口部６１が開閉蓋体６４により開閉されるようにしてある。すなわち、開閉蓋体６４の他側部には取付部６４Ａが形成してあり、この取付部６４Ａに取付ねじ６７が設けてあり、また、開閉蓋体６４の内面には、開口部６１の周縁部６１ａに倣うようにしてシール部材６８が装着してあって、開閉蓋体６４を開口部６１に被せ、取付ねじ６７を前面部に設けたねじ孔６６に螺合することで、開閉蓋体６４で開口部６１が閉塞されるものであり、この場合、シール部材６８が開口部６１の周縁部６１ａに圧接して防水、防塵等を行うようにしてある。
【００７０】
また、コンジット装着孔部６３にはコンジット７０が装着してある。すなわち、図１３に示すように、コンジット７０は、その基端部に取付部７１を有していて、この取付部７１の外周にはねじ部（図示せず）が形成してある。そして、取付部７１をコンジット装着孔部６３に挿入した状態で、ねじ部にナット部材７２を螺合し締付けることでコンジット７０が装着してある。この場合、コンジット７０の取付部７１の段部７１Ａとコンジット装着孔部６３周りの部位との間にシール部材７３が介在してあって、シール部材７３が防水、防塵等を行うようにしてある。
【００７１】
そして、コネクタボックス６０は、そのボックス本体６０Ａの上端部をシール部材７９を介してケース本体１Ａの取付座部７４に当て、取付ねじ７８をねじ孔部７６に螺合することでコネクタボックス６０がケース本体１Ａに取付けてあり、シール部材７９が防水、防塵等を行うようにしてある。この場合、図１０に示すように、ケース本体１Ａのコネクタ装着孔部７５に装着されたスイッチ側コネクタ３０がボックス６０の挿入孔部６２を貫通してボックス本体６０Ａ内に突入している。そして、このスイッチ側コネクタ３０に装置側コネクタ３１が挿抜可能に結合させてある。
【００７２】
キースイッチＡ−１が、工作機械を外囲した保護フェンスの扉における安全スイッチとして使用される場合、扉には操作キーＢが取付けられ、保護フェンスの支柱にはキースイッチＡが取付けられるのであるが、キースイッチＡ−１はユーザー側において配線される。
【００７３】
この配線は、図１０に示すように、取付ねじ６７を外すことで、開閉蓋体６４を開けて開口部６１を解放し、装置側コネクタ３１をスイッチ側コネクタ３０から切り離してコネクタボックス６０外に取り出す。そして、コンジット７０に、工作機械に付設される配電盤（いずれも図示しない）からのシースケーブルＫの端末部を挿入して、このシースケーブルＫの８本のケーブル側リード線（ばら線）１００を装置側コネクタ３１の雄接続端子に接続する。
【００７４】
次に、装置側コネクタ３１をスイッチ側コネクタ３０に結合させて、この装置側コネクタ３１をコネクタボックス６０内に収容し、開閉蓋体６４を開口部６１に被せて、この開閉蓋体６４の取付部６４Ａの取付ねじ６７をねじ孔６６に螺合することで、開閉蓋体６４により開口部６１を閉塞する。
【００７５】
以上説明したように、本発明の実施の形態２にあっては、キースイッチＡ−１の回路開閉用スイッチ１３、モニタスイッチ１４及び端子台１５のそれぞれの配線は、コネクタボックス６０の開閉蓋体６４を開けて開口部６１を解放し、装置側コネクタ３１をスイッチ側コネクタ３０から切り離してコネクタボックス６０外に取り出す。そして、コネクタボックス６０のコンジット７０に、工作機械に付設される配電盤からのシースケーブルＫの端末部を挿入して、このシースケーブルＫのケーブル側リード線（ばら線）１００を装置側コネクタ３１に接続することで行なうことができる。
【００７６】
したがって、キースイッチＡ−１のケース本体１Ａ内という狭い空間で、この空間に配置された電源回路開閉スイッチ１３、モニタスイッチ１４及び端子台１５のそれぞれの接続端子部にシースケーブルＫのケーブル側リード線（ばら線）を接続する必要がなくなり、配線の作業性が向上し、作業者に負担を強いるということが解消できる。また、上記の配線を行なうにあたって、ケース本体１Ａから蓋体１Ｄを外して前面開口部１Ｃを開ける必要が無いために、キースイッチＡ−１内への水や異物等の侵入を防ぐことができる。
【００７７】
また、コネクタボックス６０のケース本体１Ａとの結合部及びコンジット７０のコネクタボックス６０との結合部をシール部材７９、７３で封止すると共に、開閉蓋体６４と開口部６１との間にシール部材６８を介在するようにしたことにより、キースイッチＡ−１内及びコネクタボックス６０内への水や異物等の侵入を確実に防ぐことができる。
【００７８】
（実施の形態３）
本発明の実施の形態３を、図１４及び図１５に基づいて説明する。
【００７９】
本発明の実施の形態３では、シースケーブルＫを中間ケーブルＫ−１と装置側ケーブルＫ−２とで構成し、キースイッチＡ−２とは別にコネクタボックス８０を用意し、このコネクタボックス８０に一方及び他方のコンジット８３、８４を設け、コネクタボックス８０内にスイッチ側コネクタ３０と、このスイッチ側コネクタ３０に挿抜可能に結合される装置側コネクタ３１を収容し、電源回路開閉スイッチ１３、モニタスイッチ１４及び端子台１５のそれぞれにリード線３２〜３９で接続した中間ケーブルＫ−１の端末部を一方のコンジット８３からコネクタボックス８０内に挿入して、リード線３２〜３９の端部をスイッチ側コネクタ３０に接続し、装置側ケーブルＫ−２の端末部を他方のコンジット８４からコネクタボックス８０内に挿入して、この装置側ケーブルＫ−２のリード線（図示せず）を装置側コネクタ３１に接続するようにしたものある。なお、キースイッチＡ−２の他の構成は本発明の実施の形態１におけるキースイッチＡと同構成である。したがって、同じ部品及び部位には同じ符号を付して説明を省略する。
【００８０】
コネクタボックス８０のボックス本体８０Ａは開口部８１を有しており、また、ボックス本体８０Ａの周壁部にはコンジット８３、８４がそれぞれ装着してある。そして、ボックス本体８０Ａには、その一側部にヒンジ８９を介して開閉蓋体８５の一側部が取り付けてあり、開口部８１が開閉蓋体８５により開閉されるようにしてある。
【００８１】
すなわち、開閉蓋体８５の他側部には取付部８５Ａが形成してあり、この取付部８５Ａに取付ねじ８６が設けてあり、また、開閉蓋体８５の内面には、開口部８１の周縁部８１ａに倣うようにしてシール部材８８が装着してあって、開閉蓋体８５を開口部８１に被せ、取付ねじ８６をボックス本体８０Ａに設けたねじ孔８７に螺合することで、開閉蓋体８５で開口部８１が閉塞されるものであり、この場合、シール部材８８が開口部８１の周縁部８１ａに圧接して防水、防塵等を行うようにしてある。また、コンジット８３、８４のボックス本体８０Ａはシール部材（図示せず）で封止してある。
【００８２】
そして、中間ケーブルＫ−１の一方の端末部はキースイッチＡ−２のコンジット１１に挿入してあって、この中間ケーブルＫ−１のリード線３２〜３９が回路開閉用スイッチ１３、モニタスイッチ１４及び端子台１５に接続してある。また、中間ケーブルＫ−１の他方の端末部がコンジット８３からコネクタボックス８０内に挿入してあり、この中間ケーブルＫ−１のリード線３２〜３９がスイッチ側コネクタ３０に接続してあり、スイッチ側コネクタ３０がコネクタボックス８０内に収容してあって、このスイッチ側コネクタ３０には装置側コネクタ３１が結合した状態で、コネクタボックス８０内に収容してある。
【００８３】
キースイッチＡ−２が、工作機械を外囲した保護フェンスの扉における安全スイッチとして使用される場合、扉には操作キーＢが取付けられ、保護フェンスの支柱にはキースイッチＡが取付けられるのであるが、キースイッチＡ−２はユーザー側において配線される。
【００８４】
この配線は、図１５に示すように、取付ねじ８６を外すことで、開閉蓋体８５を開けて開口部８１を解放し、装置側コネクタ３１をスイッチ側コネクタ３０から切り離してコネクタボックス８０外に取り出す。そしてコンジット８４に、工作機械に付設される配電盤（いずれも図示しない）からの装置側ケーブルＫ−２の端末部を挿入して、この装置側ケーブルＫ−２の８本のリード線（ばら線）（図示せず）を装置側コネクタ３１の雄接続端子に接続する。
【００８５】
次に、装置側コネクタ３１をスイッチ側コネクタ３０に結合させて、この装置側コネクタ３１をコネクタボックス６０内に収容し、開閉蓋体６４を開口部８１に被せて、この開閉蓋体８５の取付部８５Ａの取付ねじ８６をねじ孔８７に螺合することで、開閉蓋体８５により開口部６１を閉塞する。
【００８６】
以上説明したように、本発明の実施の形態３にあっては、キースイッチＡ−２の回路開閉用スイッチ１３、モニタスイッチ１４及び端子台１５の配線は、コネクタボックス８１を開けて、装置側コネクタ３１をスイッチ側コネクタ３０から切り離してコネクタボックス８０外に取り出して、コンジット８４に、工作機械に付設される配電盤からの装置側ケーブルＫ−２の端末部を挿入して、この装置側ケーブルＫ−２のリード線（ばら線）を装置側コネクタ３１に接続することで行なうことができる。
【００８７】
したがって、キースイッチＡ−２のケース本体１Ａ内という狭い空間で、この空間に配置された電源回路開閉スイッチ１３、モニタスイッチ１４及び端子台１５のそれぞれの接続端子部にケーブルのリード線（ばら線）を接続する必要がなくなり、配線の作業性が向上し、作業者に負担を強いるということが解消できる。また、上記の配線を行なうにあたって、ケース本体１Ａから蓋体１Ｄを外して前面開口部１Ｃを開ける必要が無いために、キースイッチＡ−２内への水や異物等の侵入を防ぐことができる。
【００８８】
また、コンジット８３、８４のコネクタボックス８０との結合部をシール部材（図示せず）で封止すると共に、開閉蓋体８５と開口部８１の周縁部８１ａとの間にシール部材８８を介在するようにしたことにより、コネクタボックス８０内への水や異物等の侵入を確実に防ぐことができる。
【産業上の利用可能性】
【００８９】
本発明に係るキースイッチの配線構造によれば、配線の作業性が向上し、作業者に負担を強いるということが解消できるばかりか、キースイッチ内への水や異物等の侵入を防ぐことができるという効果を有しており、ロックスイッチ等に使用される安全スイッチ等の配線構造に有用である。
【図面の簡単な説明】
【００９０】
【図１】本発明に係る配線構造（実施の形態１）を有するキースイッチの正面図である。
【図２】同キースイッチにおいて、蓋体を外した状態の正面図である。
【図３】同キースイッチにおいて、蓋体、スイッチカバー及びヘッドカバーを外した状態の概略的な正面図である。
【図４】本発明に係る配線構造（実施の形態１）において、開閉蓋体を外した状態の正面図である。
【図５】シール部材の装着状態の説明図である。
【図６】キースイッチの主スイッチ操作部の斜視図である。
【図７】同主スイッチ操作部において、操作キーを差し込んだ状態の斜視図である。
【図８】カム体にヘッドプランジャを連結した状態の斜視図である。
【図９】本発明に係る配線構造（実施の形態２）を有するキースイッチの正面図である。
【図１０】コネクタボックスの開閉蓋体を開けた状態におけるキースイッチの正面図である。
【図１１】コネクタボックスをキースイッチより分離した状態の斜視図である。
【図１２】コネクタボックスをキースイッチに固定した状態の斜視図である。
【図１３】コネクタボックスの縦断面図である。
【図１４】本発明に係る配線構造（実施の形態３）を有するキースイッチの正面図である。
【図１５】コネクタボックスの開閉蓋体を開けた状態の説明図である。
【符号の説明】
【００９１】
Ａ      キースイッチ
Ａ−１  キースイッチ
Ａ−２  キースイッチ
Ｂ      操作キー
Ｆ      主スイッチ操作部
Ｇ      ロック・アンロック作動手段
Ｈ      電磁ソレノイド（補助スイッチ駆動手段）
Ｋ      シースケーブル（ケーブル）
Ｋ−１  中間ケーブル
Ｋ−２  装置側ケーブル
１      スイッチケース
１Ａ    ケース本体
１Ｂ    蓋体
１Ｇ    揺動支点
１Ｅ    ヘッドカバー
２      窓部
３      ねじ孔
４      開閉蓋体
５      シールパッキン（シール部材）
６      取付ねじ
１１    コンジット
１３    電源回路開閉用スイッチ（主スイッチ）
１４    モニタスイッチ（補助スイッチ）
３０    スイッチ側コネクタ
３１    装置側コネクタ
３２〜３９  リード線
６０    コネクタボックス
７０    コンジット
８０    コネクタボックス
８３    一方のコンジット
８４    他方のコンジット
【図１】
2006228621.tif 000003
【図２】
2006228621.tif 000004
【図３】
2006228621.tif 000005
【図４】
2006228621.tif 000006
【図５】
2006228621.tif 000007
【図６】
2006228621.tif 000008
【図７】
2006228621.tif 000009
【図８】
2006228621.tif 000010
【図９】
2006228621.tif 000011
【図１０】
2006228621.tif 000012
【図１１】
2006228621.tif 000013
【図１２】
2006228621.tif 000014
【図１３】
2006228621.tif 000015
【図１４】
2006228621.tif 000016
【図１５】
2006228621.tif 000017